(57)【要約】【課題】転がり軸受の外輪における転動面の変形を許容範囲に抑えつつ、線膨張係数の差によってインサート部材と転がり軸受の外輪との間に発生し得るクリープを防止することを可能とする軸受クリープ防止構造を提供する。【解決手段】軸受ハウジング２と、内側に挿入される転がり軸受４の外輪４１の片側に係合する挿入係合面３ｄを挿入方向前部に有し、軸受ハウジング２に挿入されたインサート部材３と、インサート部材３の内側に挿入係合面３ｄに係合されるまで挿入された転がり軸受４の外輪４１と、を備え、インサート部材３は、転がり軸受４の外輪４１より挿入方向後方へ延出しており、この延出部３ｃおよびその近傍の内径面が軸心側に撓んで転がり軸受４の外輪４１の側端部４１ｂを相対回転不能に押圧している。【選択図】図１
2009127693.tif 000002
【特許請求の範囲】
【請求項１】
軸受ハウジングと、
内側に挿入される転がり軸受の外輪の片側に係合する挿入係合面を挿入方向前部に有し、前記軸受ハウジングに挿入されたインサート部材と、
前記インサート部材の内側に前記挿入係合面に係合されるまで挿入された転がり軸受の外輪と、
を備える軸受クリープ防止構造であって、
前記インサート部材は、前記転がり軸受の外輪より挿入方向後方へ延出しており、この延出部およびその近傍の内径面が軸心側に撓んで前記転がり軸受の外輪の側端部を相対回転不能に押圧していることを特徴とする軸受クリープ防止構造。
【請求項２】
挿入方向前部に転がり軸受の外輪の片側に係合する挿入係合面を有するインサート部材の内側に、転がり軸受の外輪を前記挿入係合面に係合するまで挿入する外輪挿入工程と、
前記転がり軸受の外輪が前記挿入係合面に係合されるまで挿入された状態の前記インサート部材を軸受ハウジングに挿入するインサート部材挿入工程と、を含む軸受クリープ防止構造の製造方法であって、
前記インサート部材には、前記転がり軸受の外輪より挿入方向後方へ延出し、前記インサート部材挿入工程前において前記軸受ハウジングの内径より大きい外径を有する延出部が形成されており、
前記延出部は、前記インサート部材挿入工程において当該延出部およびその近傍の内径面が軸心側に撓んで前記転がり軸受の外輪の側端部を相対回転不能に押圧するように、形成されていることを特徴とする軸受クリープ防止構造の製造方法。
【請求項３】
請求項２に記載の軸受クリープ防止構造の製造方法において、
前記延出部の外径面は、インサート部材挿入工程前に、挿入方向後方に向かってテーパ状に拡径したものであることを特徴とする軸受クリープ防止構造の製造方法。
【発明の詳細な説明】
【技術分野】
【０００１】
本発明は、転がり軸受の軸受クリープ防止構造およびその製造方法に関する。特に、転がり軸受をインサート部材を介して軸受ハウジング内に固定する場合に、インサート部材と転がり軸受の外輪との間に発生し得るクリープを防止するための軸受クリープ防止構造およびその製造方法に関する。
【背景技術】
【０００２】
従来より、図３（ｃ）に示すように、自動車用変速機等の回転軸５が、軸受ハウジング７内にインサート部材８を介して固定された転がり軸受４によって支持される軸受構造が知られている（例えば、特許文献１参照。）。
【０００３】
自動車用変速機等の軸受ハウジングは、軽量化を図るために、アルミニウム合金やマグネシウム合金などの軽合金によって製作されていることが多い。これに対して、転がり軸受は、一定の強度を確保するために、ＳＵＪ鋼等の鋼材で製作されている。ＳＵＪ鋼等の鋼材の硬度は、軸受ハウジングの材料であるアルミニウム合金やマグネシウム合金より高い。また、ＳＵＪ鋼等の鋼材の線膨張係数は、軸受ハウジングの材料であるアルミニウム合金やマグネシウム合金の線膨張係数より小さい。
【０００４】
転がり軸受がインサート部材を介して軸受ハウジング内に固定されるのは、転がり軸受の外輪が軸受ハウジングの内側で回転してしまう、いわゆるクリープが発生したときに、転がり軸受の外輪より軟質な軸受ハウジングが摩耗することを防止するためである。このようなクリープは、回転軸の回転に伴う転がり軸受の温度上昇や、自動車用変速機などの温度上昇時に、軸受ハウジングの材料の線膨張係数と転がり軸受の材料の線膨張係数との差からこれらの間での締め代が減少し、軸受ハウジングによる転がり軸受の外輪の保持力が低下することによって一層発生し易くなる。
【０００５】
また、インサート部材は、回転軸および転がり軸受から受ける荷重から軸受ハウジングの変形を防止する役割をも果たす。
【０００６】
図３に従来の軸受構造の組付手順の一例を示す。まず、図３（ａ）〜（ｂ）に示すように、軸受ハウジング７に対して、インサート部材８が挿入される。インサート部材８の外周面の一部には軸線方向に延在した多数の凹凸条からなる平目ローレット８ａが形成されている。この平目ローレット８ａの凹凸条は、線膨張係数の差によって減少するインサート部材８と軸受ハウジング７との締め代を補うだけの荒さ（凹条と凸条との径方向の高低差）で形成されており、インサート部材８が軸受ハウジング７に挿入されたときに、インサート部材８より軟質である軸受ハウジング７の内周面に食い込んで、インサート部材８と軸受ハウジング７との間で発生し得るクリープを防止する。
【０００７】
軸受ハウジング７へのインサート部材８の挿入後、図３（ｃ）に示すように、インサート部材８の内側に転がり軸受４の外輪４１が圧入され、更に、圧入された外輪４１の内側に、コロ４２、内輪および軸５が組み込まれる。
【特許文献１】特開平８−２１０３７０
【発明の開示】
【発明が解決しようとする課題】
【０００８】
一方、インサート部材８と転がり軸受４の外輪４１との間にはローレット加工が施されていないため、線膨張係数の差によってクリープが発生することがある。つまり、インサート部材８に一般的に使用される鋳鉄等の線膨張係数は、転がり軸受４の外輪４１に使用されるＳＵＪ鋼等の鋼材の線膨張係数よりも大きく、温度上昇に伴って、インサート部材８と転がり軸受４の外輪４１との締め代が減少し、コロ４２の回転抵抗を潤滑油膜経由で受ける転がり軸受４の外輪４１が、インサート部材８の内側に対してクリープを起こす場合がある。
【０００９】
ＳＵＪ鋼等の鋼材からなる転がり軸受４の外輪４１が、これより軟質の材料からなるインサート部材８の内側でクリープを起こすと、インサート部材８側が摩耗し、軸受ハウジング７が設けられたキャリヤに対する転がり軸受４の当初の設計寸法位置に合った状態を維持できなくなるおそれがある。
【００１０】
軸受ハウジング７とインサート部材８との間でのクリープの発生を防止するために、インサート部材８の外周面に平目ローレット８ａを形成したように、転がり軸受４の外輪４１の外周面にローレット加工を施して外輪４１とインサート部材８との間でのクリープの発生を防止することも考えられる。しかし、外輪４１の材料であるＳＵＪ鋼等の鋼材は硬度が非常に高いため、線膨張係数差によって減少する締め代を補うだけの荒さのローレット加工を施すことが容易ではない。仮にそのような荒さのローレット加工を施すことができたとしても、インサート部材の材料となる鋳鉄等は、アルミニウム合金やマグネシウム合金ほど軟質な材料ではないことから、ローレット加工が施された外輪４１をインサート部材８の内側に圧入することが困難である。
【００１１】
線膨張係数の差によってインサート部材８と転がり軸受４の外輪４１との間に発生する緩み量以上の締め代を予め確保しておけば、温度上昇時における、インサート部材８と転がり軸受４の外輪４１との間で発生するクリープを防止することができる。しかし、締め代が一定量以上になると、転がり軸受４の外輪４１が圧縮変形し、当該外輪４１におけるコロ４２の転動面が波打って転がり軸受４の性能の低下を招き、ひいては、転がり軸受４が使用不能となる。したがって、単に締め代を増加することによってクリープの発生を防止することは難しい。
【００１２】
本発明は、上記問題点に鑑みて創案されたものであり、転がり軸受の外輪における転動面の変形を許容範囲に抑えつつ、線膨張係数の差によってインサート部材と転がり軸受の外輪との間に発生し得るクリープを防止することを可能とする軸受クリープ防止構造およびその製造方法を提供することを目的とする。
【課題を解決するための手段】
【００１３】
上述の課題を解決するための手段として、本発明の軸受クリープ防止構造およびその製造方法は、以下のように構成されている。
【００１４】
すなわち、本発明の軸受クリープ防止構造は、軸受ハウジングと、内側に挿入される転がり軸受の外輪の片側に係合する挿入係合面を挿入方向前部に有し、前記軸受ハウジングに挿入されたインサート部材と、前記インサート部材の内側に前記挿入係合面に係合されるまで挿入された転がり軸受の外輪と、を備える軸受クリープ防止構造であって、前記インサート部材は、前記転がり軸受の外輪より挿入方向後方へ延出しており、この延出部およびその近傍の内径面が軸心側に撓んで前記転がり軸受の外輪の側端部を相対回転不能に押圧していることを特徴としている。
【００１５】
この軸受クリープ防止構造では、インサート部材の転がり軸受の外輪より挿入方向後方へ延出した延出部およびその近傍の内径面が軸心側に撓んで転がり軸受の外輪の側端部を相対回転不能に押圧している。インサート部材の内径面によって押圧される場所が、外輪における転動面から軸線方向に離れた外輪の側端部であることから、インサート部材と外輪との線膨張係数の差によってこれらの間に発生する緩み量以上の締め代（押圧力）を確保しても、外輪の圧縮変形範囲は、外輪の側端部およびその近傍に限られ、外輪における転動面まで及び難い。したがって、この軸受クリープ防止構造によれば、外輪における転動面の変形を許容範囲に抑制しつつ、温度上昇時にインサート部材と外輪との線膨張係数の差によって生じる、インサート部材と外輪の側端部との間の締め代の減少分を補える十分な締め代（押圧力）を確保して、インサート部材と外輪との間で生じ得るクリープの発生を防止することができる。
【００１６】
また、本発明の軸受クリープ防止構造の製造方法は、挿入方向前部に転がり軸受の外輪の片側に係合する挿入係合面を有するインサート部材の内側に、転がり軸受の外輪を前記挿入係合面に係合するまで挿入する外輪挿入工程と、前記転がり軸受の外輪が前記挿入係合面に係合されるまで挿入された状態の前記インサート部材を軸受ハウジングに挿入するインサート部材挿入工程と、を含むものである。そして、前記インサート部材には、前記転がり軸受の外輪より挿入方向後方へ延出し、前記インサート部材挿入工程前において前記軸受ハウジングの内径より大きい外径を有する延出部が形成されており、この延出部は、前記インサート部材挿入工程において当該延出部およびその近傍の内径面が軸心側に撓んで前記転がり軸受の外輪の側端部を相対回転不能に押圧するように、形成されている。
【００１７】
この軸受クリープ防止構造の製造方法では、転がり軸受の外輪より挿入方向後方へ延出し、インサート部材挿入工程前において軸受ハウジングの内径より大きい外径を有する延出部が、軸受ハウジングに挿入されることによって、その近傍部とともに軸心側に撓み、その内径面が前記転がり軸受の外輪の側端部を相対回転不能に押圧する。インサート部材の延出部ないしその近傍の内径面によって押圧される場所は、外輪の側端部であることから、外輪の圧縮変形範囲は、外輪の側端部およびその近傍に限られ、外輪における転動面まで及び難い。したがって、本製造方法によって製造された軸受クリープ防止構造によれば、外輪における転動面の変形を許容範囲に抑制しつつ、温度上昇時にインサート部材と外輪との線膨張係数の差によって生じる、インサート部材と外輪の側端部との間の締め代の減少分を補える十分な締め代（押圧力）を確保して、インサート部材と外輪との間で生じるクリープの発生を防止することができる。
【００１８】
また、本発明の軸受クリープ防止構造の製造方法は、上記構成において、前記延出部の外径面が、インサート部材挿入工程前に、挿入方向後方に向かってテーパ状に拡径したものであることが望ましい。
【００１９】
この軸受クリープ防止構造の製造方法によれば、インサート部材挿入工程前のインサート部材の延出部の外径面が、挿入方向後方に向かってテーパ状に拡径したものであることから、軸受ハウジングに対してこれより大径の外径を有する延出部の挿入が容易となり、生産効率が向上する。
【発明の効果】
【００２０】
本発明に係る軸受クリープ防止構造によれば、外輪における転動面の変形を許容範囲に抑制しつつ、温度上昇時にインサート部材と外輪との線膨張係数の差によって生じる、インサート部材と外輪の側端部との間の締め代の減少分を補える十分な締め代を確保して、インサート部材と外輪との間で生じるクリープの発生を防止することができる。また、本発明に係る軸受クリープ防止構造の製造方法は、上記軸受クリープ防止構造の製造に適している。
【発明を実施するための最良の形態】
【００２１】
以下、本発明の実施の形態について図面を参照して説明する。図１は、本発明の実施の形態に係る軸受クリープ防止構造１を示した断面図である。
【００２２】
軸受クリープ防止構造１は、軸受ハウジング２、インサート部材３および転がり軸受の外輪４１で主に構成されている。この軸受クリープ防止構造１は、例えば、自動車等の車両のトランスミッション、トランスファー、ディファレンシャルなど、転がり軸受および軸受ハウジングを設ける部位に適用可能である。
【００２３】
軸受ハウジング２は、例えばアルミニウム合金などの軽合金からなり、インサート部材３を介して転がり軸受４を収容保持する。
【００２４】
軸受ハウジング２の一方側には、インサート部材３および転がり軸受４の挿入用開口部２ａが形成され、軸受ハウジング２の他方側には、インサート部材３の挿入終端面２ｂが形成されている。軸受ハウジング２の内径は、インサート部材３の後述する一般部３ａが圧入可能な程度に形成されている。なお、軸受ハウジング２のインサート部材３の入口側エッジ部２ｃには面取りが施されており、これにより、インサート部材３の挿入方向前端部および後述する延出部３ｃの軸受ハウジング２への挿入作業が容易となる。
【００２５】
インサート部材３は、軸受ハウジング２の材料より高い硬度の鋳鉄等の材料で製作されている。インサート部材３は、挿入方向前部に、このインサート部材３の内側に挿入される転がり軸受４の外輪４１の片側の側面４１ａに係合する挿入係合面３ｄを有している。インサート部材３は、略円筒形状部材の一端側に前記挿入係合面３ｄを有しており、詳しくは、軸受ハウジング２への挿入方向前端側から順に、一般部３ａ、相対回転防止部３ｂ、延出部３ｃが形成されている。一般部３ａは、軸受ハウジング２内に挿入嵌合される適度な外径を有する。相対回転防止部３ｂは、外径面にローレット加工が施されている。例えば、軸線方向に延在した多数の凹凸条からなる平目ローレットが形成されている。この相対回転防止部３ｂは、インサート部材３が軸受ハウジング２内に挿入されたときに、インサート部材３の材料より低い硬度の材料（アルミニウム等の軽合金）からなる軸受ハウジング２の内周面に食い込むことによって、インサート部材３全体が軸受ハウジング２に対して相対回転不能となっている。延出部３ｃは、インサート部材３の内側に挿入された転がり軸受４の外輪４１より挿入方向後方へ延出した部分である。延出部３ｃおよびその近傍の内径面は、軸心側に撓んで転がり軸受４の外輪４１の側端部４１ｂを相対回転不能に押圧している。
【００２６】
転がり軸受４として、例えば円錐ころ軸受を例に挙げて図示および説明をする。この転がり軸受４の外輪４１は、その側面４１ａがインサート部材３の内側に挿入係合面３ｄに係合されるまで、挿入されている。転がり軸受４の外輪４１の反挿入係合面３ｄ側の側端部４１ｂは、上記したように、インサート部材３の内径面によって相対回転不能に押圧されている。
【００２７】
［軸受クリープ防止構造の製造方法］
つぎに、上記軸受クリープ防止構造１に適した製造方法を、図２−ａ〜図２−ｅに基づいて説明する。なお、本製造方法の実施前において、インサート部材３の延出部３ｃは、軸受ハウジング２の内径より大きい外径を有し、例えば図２−ａに示すように、軸受ハウジング２への挿入方向後方に向かってテーパ状に拡径している。
【００２８】
第１工程として、図２−ａ〜図２−ｂに示すように、インサート部材３が、その延出部３ｃが軸受ハウジング２の内側に挿入される直前まで挿入される。つまり、この段階では、インサート部材３の一般部３ａおよび相対回転防止部３ｂが軸受ハウジング２の内側に挿入される。ローレット加工が施されている相対回転防止部３ｂは、軸受ハウジング２の内径面を塑性変形させながら食い込み、これにより、インサート部材３が軸受ハウジング２に対して相対回転不能に挿入される。この結果、インサート部材３と軸受ハウジング２との間でのクリープの発生が防止されるほか、後述するインサート部材３の内径仕上げ加工を好適な状態で行うことができる。
【００２９】
第２工程として、インサート部材３の内径仕上げ加工が図示しない切削加工機械等にて行われ、適切な軸心を有するインサート部材３の内径が形成される。なお、上記内径仕上げ加工では、インサート部材３の内径面は、転がり軸受４の外輪４１を圧入することができる程度の嵌め合い状態、例えば中間ばめ〜隙間ばめ状態に加工される。
【００３０】
第３工程として、図２−ｂ〜図２−ｃに示すように、インサート部材３の軸受ハウジング２に対する挿入位置を維持したまま、インサート部材３の内側に転がり軸受４の外輪４１を挿入係合面３ｄに係合するまで挿入する（外輪挿入工程）。なお、転がり軸受４の外輪４１の外径とインサート部材３の内径との嵌め合い状態は、例えば中間ばめ〜隙間ばめとなっている。勿論、この嵌め合い状態は、インサート部材３の軸受ハウジング２に対する挿入位置を維持したままインサート部材３の内側に外輪４１を挿入できる程度であることが望ましい。
【００３１】
第４工程として、図２−ｃ〜図２−ｄに示すように、転がり軸受４の外輪４１を軸受ハウジング２内に向かって押圧する。すると、転がり軸受４の外輪４１の側面４１ａに挿入係合面３ｄを介して係合押圧されるインサート部材３は、軸受ハウジング２の内側に軸受ハウジング２の挿入終端面２ｂに当接するまで挿入される（インサート部材挿入工程）。このとき、インサート部材３の延出部３ｃは、当該延出部３より小径の軸受ハウジング２内に挿入されつつ軸受ハウジング２の内径面によって軸心側に押圧される。これにより、延出部３ｃおよびその近傍は軸心側に撓み、その内径面も軸心側に撓んで転がり軸受４の外輪４１の側端部４１ｂを押圧する。なお、延出部３ｃは、挿入方向後方に向かってテーパ状に拡径しているので、テーパ効果により上記インサート部材３の軸受ハウジング２への挿入作業が円滑に行われる。なお、軸受ハウジング２の挿入終端面２ｂは、インサート部材３の挿入限界位置を形成しているに過ぎず、インサート部材３と転がり軸受４の外輪４１との間で発生するクリープを防止するための必須構成要件ではない。
【００３２】
上記インサート部材３の延出部３ｃは、当該延出部３ｃおよびその近傍の内径面が軸心側に撓んで転がり軸受４の外輪４１の側端部４１ｂを所定温度範囲（例えば、軸受クリープ防止構造１の使用環境下での想定温度範囲）において常に相対回転不能に軸心側へ押圧するような寸法形状に形成されている。
【００３３】
したがって、所定温度範囲での最高温度において、延出部３ｃの最大直径Ｄ１（図２−ａ参照）と軸受ハウジング２の内径Ｄ２（図２−ａ参照）との差（Ｄ１−Ｄ２）は、少なくとも、転がり軸受４の外輪４１の側端部４１ｂの外径Ｄ３（図２−ｂ参照）とインサート部材３の内径Ｄ４（図２−ｂ参照）との差（Ｄ４−Ｄ３）よりある程度大きいことが必要となる。また、転がり軸受４の外輪４１における転動面４１ｃ（転動体であるコロ４２が転動する面）のインサート部材３による圧縮変形量が転がり軸受４を使用する上で許容される範囲内であることも必要である。
【００３４】
第５工程として、図２−ｅに示すように、転がり軸受４のコロ４２および内輪４３並びに軸５が組み付けられる。
【００３５】
このように、製造された軸受クリープ防止構造１によれば、インサート部材３の延出部３ｃが、軸受ハウジング２に挿入されることによって当該延出部３ｃおよびその近傍が軸心側に撓み、その内径面が転がり軸受４の外輪４１の側端部４１ｂを相対回転不能に軸心側へ押圧する。インサート部材３の延出部３ｃおよびその近傍によって押圧される場所は、外輪４１の側端部４１ｂであることから、外輪４１の圧縮変形範囲は、外輪４１の側端部４１ｂおよびその近傍に限られ、外輪４１の転動面４１ｃまで及び難い。したがって、上記軸受クリープ防止構造１によれば、外輪４１の転動面４１ｃの変形を設計上の許容範囲内で十分に抑制しつつ、温度上昇時にインサート部材３と外輪４１との線膨張係数の差によって生じ得る、インサート部材３と外輪４１の側端部４１ｂとの間の締め代の減少量を補い得る十分な締め代（押圧力）を常に確保して、インサート部材３と外輪４１との間で生じるクリープの発生を防止することができる。
【００３６】
［他の実施形態］
以上説明した実施の形態では、転がり軸受として円錐ころ軸受を例に挙げて説明したが、本発明は、外輪、転動体、内輪を備える転がり軸受であれば円錐ころ軸受以外の転がり軸受を組付けた軸受ハウジング、インサート部材等にも適用可能である。外輪とその他の部分を分離できない転がり軸受の場合は、上記した外輪だけをインサート部材に挿入する工程において、外輪とともに転がり軸受全体をインサート部材に挿入する。
【００３７】
また、インサート部材を軸受ハウジングに対して相対回転不能にする手段は、ローレット加工が施された相対回転防止部３ｂに限定されず、種々の手段を講じることができる。
【００３８】
また、転がり軸受４の軸心位置精度として高い精度が要求されない機械、装置等に本発明を適用する場合、上記した軸受クリープ防止構造の製造方法において、第２工程の内径仕上げ加工を省略してもよい。この場合、予めインサート部材３の内側に転がり軸受４の外輪４１を挿入係合面３ｄまで挿入した上で、インサート部材３を軸受ハウジング２に挿入してもよい。
【産業上の利用可能性】
【００３９】
本発明は、例えば、転がり軸受をインサート部材を介して軸受ハウジングに固定するタイプの軸受固定装置に適用可能である。
【図面の簡単な説明】
【００４０】
【図１】本発明の実施の形態に係る軸受クリープ防止構造等を示した図であって、軸線を含む平面で切断した断面図である。
【図２−ａ】本発明の実施の形態に係る軸受クリープ防止構造の製造方法の初工程（第１工程）に関する状態を示した断面図である。なお、中心線（軸線）より下方は図示を省略している。
【図２−ｂ】本発明の実施の形態に係る軸受クリープ防止構造の製造方法の途中工程（第１工程〜３工程）に関する状態を示した断面図である。なお、中心線（軸線）より下方は図示を省略している。
【図２−ｃ】本発明の実施の形態に係る軸受クリープ防止構造の製造方法の途中工程（第３工程〜４工程）に関する状態を示した断面図である。なお、中心線（軸線）より下方は図示を省略している。
【図２−ｄ】本発明の実施の形態に係る軸受クリープ防止構造の製造方法の途中工程（第４工程）に関する状態を示した断面図である。なお、中心線（軸線）より下方は図示を省略している。
【図２−ｅ】本発明の実施の形態に係る軸受クリープ防止構造の製造方法によって製造された軸受クリープ防止構造を示した断面図である。なお、中心線（軸線）より下方は図示を省略している。
【図３】従来行われていた、軸受ハウジングにインサート部材を介して転がり軸受を組付ける際の組付手順の一例を示した図である。
【符号の説明】
【００４１】
１  軸受クリープ防止構造
２  軸受ハウジング
３  インサート部材
３ｃ  延出部
３ｄ  挿入係合面
４  転がり軸受
４１  外輪
４１ｂ  外輪の側端部
４１ｃ  転動面
【図１】
2009127693.tif 000003
【図２−ａ】
2009127693.tif 000004
【図２−ｂ】
2009127693.tif 000005
【図２−ｃ】
2009127693.tif 000006
【図２−ｄ】
2009127693.tif 000007
【図２−ｅ】
2009127693.tif 000008
【図３】
2009127693.tif 000009